【手続補正書】
【提出日】平成17年6月10日(2005.6.10)
【手続補正１】
【補正対象書類名】明細書
【補正対象項目名】特許請求の範囲
【補正方法】変更
【補正の内容】
【特許請求の範囲】
【請求項１】
時刻ｋ−ｊ（ｋは３以上の整数、ｊは２以上の整数）における第１状態Ｓk-jから時刻ｋにおける第２状態Ｓkへと遷移するｎ（ｎは２以上の整数）通りの状態遷移列のうちから最も確からしい状態遷移列を選択する最尤復号方式によって再生信号の復号を行なう場合における、前記復号された信号の品質評価方法であって、
前記時刻ｋ−ｊから時刻ｋまでの所定の期間ｊにおける前記ｎ通りの状態遷移列を規定する前記第１状態Ｓk-jと前記第２状態Ｓkとの所定の組み合わせを検出する工程と、
前記検出された前記所定の組み合わせによって規定される前記ｎ通りの状態遷移列のうちの最も確からしい第１の状態遷移列の前記所定の期間ｊにおける状態遷移の確からしさを表す指標をＰａとし、２番目に確からしい第２の状態遷移列の前記所定の期間ｊにおける状態遷移の確からしさを示す指標をＰｂとするとき、｜Ｐａ−Ｐｂ｜を用いて前記時刻ｋ−ｊから時刻ｋまでの復号結果の信頼性を判断する工程と
を包含する再生信号品質評価方法。
【請求項２】
前記Ｐａは、前記所定の期間ｊにおける前記第１の状態遷移列が示す期待値と実際のサンプル値との差に基づいて規定され、前記Ｐｂは、前記所定の期間ｊにおける前記第２の状態遷移列が示す期待値と前記実際のサンプル値との差に基づいて規定される請求項１に記載の再生信号品質評価方法。
【請求項３】
前記Ｐａは、前記所定の期間ｊにおける、前記第１の状態遷移列が示す時刻ｋ−ｊ＋１から時刻ｋまでの期待値ｌk-j+1，・・・，ｌk-1，ｌkと前記実際のサンプル値ｙk-j+1，・・・，ｙk-1，ｙkとの差の２乗の累積値に対応し、前記Ｐｂは、前記第２の状態遷移列が示す時刻ｋ−ｊ＋１から時刻ｋまでの期待値ｍk-j+1，・・・，ｍk-1，ｍkと前記実際のサンプル値ｙk-j+1，・・・，ｙk-1，ｙkとの差の２乗の累積値に対応する請求項２に記載の再生信号品質評価方法。
【請求項４】
ｎ＝２である請求項１に記載の再生信号評価方法。
【請求項５】
前記第１の状態遷移列と前記第２の状態遷移列とのユークリッド距離は最小値を有する請求項１に記載の再生信号品質評価方法。
【請求項６】
前記｜Ｐａ−Ｐｂ｜を複数回測定することによって、前記復号結果の信頼性のバラツキを判断する工程をさらに包含する請求項１に記載の再生信号品質評価方法。
【請求項７】
前記信頼性のバラツキは、前記｜Ｐａ−Ｐｂ｜の分布の標準偏差を用いて示される請求項６に記載の再生信号品質評価方法。
【請求項８】
前記信頼性のバラツキは、前記｜Ｐａ−Ｐｂ｜の標準偏差と前記｜Ｐａ−Ｐｂ｜の分布の平均値とを用いて示される請求項６に記載の再生信号品質評価方法。
【請求項９】
前記｜Ｐａ−Ｐｂ｜が所定の値を超える頻度を検出することによって前記復号結果の信頼性のバラツキを判断する請求項６に記載の再生信号品質評価方法。
【請求項１０】
記録符号の最小極性反転間隔が２であり、かつ、ＰＲ（Ｃ０，Ｃ１，Ｃ０）等化された再生信号を復号することを特徴とする請求項１に記載の再生信号評価方法。
【請求項１１】
記録符号の最小極性反転間隔が２であり、かつ、ＰＲ（Ｃ０，Ｃ１，Ｃ１，Ｃ０）等化された再生信号を復号することを特徴とする請求項１に記載の再生信号評価方法。
【請求項１２】
記録符号の最小極性反転間隔が２であり、かつ、ＰＲ（Ｃ０，Ｃ１，Ｃ２，Ｃ１，Ｃ０）等化された再生信号を復号することを特徴とする請求項１に記載の再生信号評価方法。
【請求項１３】
前記｜Ｐａ−Ｐｂ｜を計算するとき、前記実際のサンプル値の２乗の計算を行なわないことを特徴とする前記請求項２または３に記載の再生信号評価方法。
【請求項１４】
再生信号の振幅値を調整するゲインコントローラと、
所定の等化特性となるように前記再生信号を波形整形する波形等化器と、
前記再生信号と同期がとられた再生クロックを生成する再生クロック生成回路と、
前記再生信号を前記再生クロックでサンプリングを行なうことによってサンプリングデータを生成し、前記サンプリングデータを出力するＡ／Ｄ変換器と、
前記サンプリングデータから最も確からしいディジタル情報を復号する最尤検出器と、
前記最尤検出器において最も確からしいと判断された第１の状態遷移列の所定の期間における状態遷移の確からしさを表す指標をＰａとし、２番目に確からしい第２の状態遷移列の前記所定の期間における状態遷移の確からしさを示す指標をＰｂとするとき、｜Ｐａ−Ｐｂ｜を算出する差分メトリック演算器と
を備える情報再生装置。
【請求項１５】
前記波形等化器とは異なる所定の等化特性となるように波形整形を行なう追加の波形等化器を更に備え、
前記再生クロックは、前記追加の波形等化器によって波形整形された再生信号から生成される請求項１４に記載の情報再生装置。
【手続補正２】
【補正対象書類名】明細書
【補正対象項目名】００２３
【補正方法】変更
【補正の内容】
【００２３】
ある好ましい実施形態において、前記Ｐａは、前記所定の期間ｊにおける、前記第１の状態遷移列が示す時刻ｋ−ｊ＋１から時刻ｋまでの期待値ｌk-j+1，・・・，ｌk-1，ｌkと前記実際のサンプル値ｙk-j+1，・・・，ｙk-1，ｙkとの差の２乗の累積値に対応し、前記Ｐｂは、前記第２の状態遷移列が示す時刻ｋ−ｊ＋１から時刻ｋまでの期待値ｍk-j+1，・・・，ｍk-1，ｍkと前記実際のサンプル値ｙk-j+1，・・・，ｙk-1，ｙkとの差の２乗の累積値に対応する。
【手続補正３】
【補正対象書類名】明細書
【補正対象項目名】００７８
【補正方法】変更
【補正の内容】
【００７８】
上述のように誤り率は標準偏差σ10を用いて予測され得るが、例えば、以下の式(14)で定義されるＰＲＭＬ誤差指標ＭＬＳＡ（Maximum Likelihood Sequence Amplitude）を信号品質（誤り率）を示す指標として用いてもよい。
【手続補正４】
【補正対象書類名】明細書
【補正対象項目名】００８２
【補正方法】変更
【補正の内容】
【００８２】
なお、これまで、一般的なＰＲ（Ｃ０，Ｃ１，Ｃ１，Ｃ０）等化（Ｃ０，Ｃ１は任意の正の数）の一例として、ＰＲ（１，２，２，１）等化が適用される場合について具体的に説明したが、これ以外のＰＲ（Ｃ０，Ｃ１，Ｃ１，Ｃ０）等化（Ｃ０，Ｃ１は任意の正の数）が適用される場合についても上記と同様の手順によって誤り率と相関を持つ指標を得ることができる。
【手続補正５】
【補正対象書類名】明細書
【補正対象項目名】００９０
【補正方法】変更
【補正の内容】
【００９０】
簡単のために時刻ｋでの状態Ｓ（0,0）））kをＳ０k、状態Ｓ（0,1）））kをＳ１k、状態Ｓ（1,1）））kをＳ２k、状態Ｓ（1,0）））kをＳ３kというように表記する。この場合の状態遷移は図１７に示す状態遷移図で示され、また、これを時間軸に関して展開すると図１８に示すトレリス図が得られる。
【手続補正６】
【補正対象書類名】明細書
【補正対象項目名】００９２
【補正方法】変更
【補正の内容】
【００９２】
【表５】
2003141823.tif 000001
【手続補正７】
【補正対象書類名】明細書
【補正対象項目名】００９９
【補正方法】変更
【補正の内容】
【００９９】
【表６】
2003141823.tif 000002
【手続補正８】
【補正対象書類名】明細書
【補正対象項目名】０１２５
【補正方法】変更
【補正の内容】
【０１２５】
白色のノイズが伝送路に重畳された場合を考えると、誤りをもっとも起こしうる状態遷移はパスAとパスBのユークリッド距離が最小となるものとなるのであり、以下の表１１に示す１８通りの状態遷移が挙げられる。
【手続補正９】
【補正対象書類名】明細書
【補正対象項目名】０１２７
【補正方法】変更
【補正の内容】
【０１２７】
上記１８通りの状態遷移のときの復号結果をｃkとし（ｋは整数）、表１１に示す状態遷移における信頼性Ｐａ−Ｐｂをまとめると式（23）が得られる。